(57)【特許請求の範囲】
【請求項１】
液体の排出側配管が接続された筒状のアウターポートと、液体の供給側配管が接続されるとともに上記アウターポートの内部に設けられたインナーポートと、上記アウターポートを閉鎖する蓋部材とを備え、
上記蓋部材を閉鎖状態とすると、上記インナーポートからの液体が上記蓋部材およびアウターポートによって形成された空間を流通して上記アウターポートより排出され、開放状態とすると、上記インナーポートが外部に露出して該インナーポートに液体通路を接続可能とする接続ポートにおいて、
上記アウターポートは、有底筒状に形成されるとともに、開口部を有しており、
上記蓋部材は、有底筒状に形成されて、上記アウターポートの開口部を閉鎖可能となっており、
上記インナーポートは、その先端が上記アウターポートの開口部よりも外側に突出するとともに、上記アウターポートの底部を外部から内部に貫通するように上記アウターポートに固定され、さらに当該インナーポートにおけるアウターポートの外部に突出した部分にヒータを設け、
上記蓋部材の閉鎖状態において、上記ヒータによりインナーポートを加熱することにより、インナーポートにおける外部に露出する部分を殺菌することを特徴とする透析装置の接続ポート。
【請求項２】
上記アウターポートは耐熱性の樹脂材料からなり、
さらに、上記インナーポートにおけるアウターポートの貫通部分にフランジを形成し、アウターポートの底面に上記フランジと嵌合する凹部を形成したことを特徴とする請求項１に記載の透析装置の接続ポート。
【請求項３】
血液透析を行う透析器と、透析器に血液を流通させる血液回路と、透析器に透析液を流通させる透析液回路とを備えた透析装置において、
上記血液回路から分岐する置換液通路を設けるとともに、
上記透析液回路に上記置換液通路を接続可能な上記接続ポートを設け、
上記ヒータによりインナーポートを加熱することにより、インナーポートにおける上記置換液通路と接続する部分を殺菌することを特徴とする、請求項１または請求項２のいずれかに記載の接続ポートを備えた透析装置。
【発明の詳細な説明】
【技術分野】
【０００１】
本発明は接続ポートおよび当該接続ポートを備えた透析装置に関し、詳しくは筒状のアウターポートと、当該アウターポートの内部に設けられたインナーポートと、上記アウターポートごとインナーポートを閉鎖する蓋部材とを備えた接続ポートおよび当該接続ポートを備えた透析装置に関する。
【背景技術】
【０００２】
従来、透析装置等の液体を流通させる装置には、当該液体を流通させる通路を接続するための接続ポートが設けられており、このような接続ポートとして、液体の排出側通路が接続された筒状のアウターポートと、液体の供給側通路が接続されるとともに上記アウターポートの内部に設けられたインナーポートと、上記アウターポートごとインナーポートを閉鎖する蓋部材とを備えたものが知られている（特許文献１）。
この様な接続ポートでは、上記蓋部材を閉鎖状態とすると、上記インナーポートからの液体が上記蓋部材およびアウターポートによって形成された空間を流通して上記アウターポートより排出されるようになっており、一方上記蓋部材を開放状態とすると、上記インナーポートが外部に露出して該インナーポートに液体通路を接続可能となっている。
【先行技術文献】
【特許文献】
【０００３】
【特許文献１】特許第３８１０５４８号公報
【発明の概要】
【発明が解決しようとする課題】
【０００４】
ここで上記透析装置として、いわゆるオンラインＨＤＦ、すなわち透析液回路から血液回路に透析液を直接流入させて、当該透析液を患者に供給するように構成された透析装置が知られている。
このような透析装置では、血液回路より分岐した置換液通路を上記透析液回路に設けた上記接続ポートに接続して透析液を患者に供給することから、上記接続ポートについては特に衛生面で注意しなければならない。
しかしながら上記特許文献１の接続ポートにおいては、透析液通路を洗浄する際には上記蓋部材を閉鎖状態として、洗浄液をアウターポートと蓋部材との間に形成された空間に流通させてインナーポートを洗浄するだけであり、より高いレベルでの洗浄が求められていた。
このような問題に鑑み、より高いレベルでの洗浄を行うことが可能な接続ポートを提供するとともに、当該接続ポートを備えた透析装置を提供するものである。
【課題を解決するための手段】
【０００５】
すなわち、請求項１の発明にかかる接続ポートは、液体の排出側配管が接続された筒状のアウターポートと、液体の供給側配管が接続されるとともに上記アウターポートの内部に設けられたインナーポートと、上記アウターポートを閉鎖する蓋部材とを備え、
上記蓋部材を閉鎖状態とすると、上記インナーポートからの液体が上記蓋部材およびアウターポートによって形成された空間を流通して上記アウターポートより排出され、開放状態とすると、上記インナーポートが外部に露出して該インナーポートに液体通路を接続可能とする接続ポートにおいて、
上記アウターポートは、有底筒状に形成されるとともに、開口部を有しており、
上記蓋部材は、有底筒状に形成されて、上記アウターポートの開口部を閉鎖可能となっており、
上記インナーポートは、その先端が上記アウターポートの開口部よりも外側に突出するとともに、上記アウターポートの底部を外部から内部に貫通するように上記アウターポートに固定され、さらに当該インナーポートにおけるアウターポートの外部に突出した部分にヒータを設け、
上記蓋部材の閉鎖状態において、上記ヒータによりインナーポートを加熱することにより、インナーポートにおける外部に露出する部分を殺菌することを特徴としている。
【０００６】
請求項２の発明にかかる接続ポートは、請求項１に記載の接続ポートにおいて、
上記アウターポートは耐熱性の樹脂材料からなり、さらに、上記インナーポートにおけるアウターポートの貫通部分にフランジを形成し、アウターポートの底面に上記フランジと嵌合する凹部を形成したことを特徴としている。
【０００７】
請求項３の発明にかかる透析装置は、請求項１または請求項２のいずれかに記載の接続ポートを備え、  血液透析を行う透析器と、透析器に血液を流通させる血液回路と、透析器に透析液を流通させる透析液回路とを備えた透析装置において、
上記血液回路から分岐する置換液通路を設けるとともに、
上記透析液回路に上記置換液通路を接続可能な上記接続ポートを設け、
上記ヒータによりインナーポートを加熱することにより、インナーポートにおける上記置換液通路と接続する部分を殺菌することを特徴としている。
【発明の効果】
【０００８】
上記請求項１の発明によれば、上記インナーポートをヒータにより加熱することにより、当該インナーポートにおける外部に露出する部分を加熱殺菌することが可能であり、より高レベルな殺菌を行うことができる。
【０００９】
上記請求項２の発明によれば、インナーポートに形成したフランジをアウターポートに形成した凹部に嵌合させることにより、確実にインナーポートとアウターポートとの連結を行うことが可能となっている。
【００１０】
上記請求項３の発明によれば、オンラインＨＤＦを行うために置換液通路を接続ポートに接続する際、予め上記接続ポートを高レベルに殺菌することができるため、透析液を患者に供給するための置換液通路をより安全に接続することが可能となっている。
【図面の簡単な説明】
【００１１】
【図１】本実施例にかかる血液透析装置の回路図
【図２】置換液ポートの断面図
【発明を実施するための形態】
【００１２】
以下、図示実施例について本発明を説明すると、図１は血液透析を行うための血液透析装置１の回路図を示している。
本実施例の血液透析装置１は、血液透析を行う透析器２と、当該透析器２に接続された血液回路３と、上記透析器２に接続された透析液回路４とを備え、図示しない制御手段によって制御されるようになっている。
また本実施例の血液透析装置１は新鮮な透析液を上記血液回路３を介して患者に供給するオンラインＨＤＦを行うことが可能となっており、上記血液回路３から分岐するとともに上記透析液回路４に接続可能な置換液通路５を備えている。
【００１３】
上記透析器２の内部は図示しない中空糸膜によって血液室と透析液室とに区画され、血液は血液室の内部を図示左方から右方に、透析液は透析液室の内部を図示右方から左方に流通するようになっている。
上記血液回路３は、患者の動脈に接続されるとともに透析器２の端部に接続された動脈側通路１１と、静脈に接続されるとともに透析器２の他端に接続された静脈側通路１２とを備え、上記置換液通路５は上記動脈側通路１１から分岐するように接続されている。
動脈側通路１１には、患者に穿刺される穿刺針１１ａと、動脈側通路１１を開閉するクランプ手段１３と、血液を送液するチューブポンプ（ペリスタルティック）からなる血液ポンプＰ１と、血液凝固防止剤を供給するシリンジ１４と、血液から空気を排除するドリップチャンバ１５と、当該ドリップチャンバ１５に設けられて圧力を測定する圧力計１６とが設けられている。
上記静脈側通路１２には、血液から空気を排除するドリップチャンバ１７と、静脈側通路１２を開閉するクランプ手段１８と、患者に穿刺される穿刺針１２ａとが設けられており、上記ドリップチャンバ１７には圧力計１９が設けられている。
【００１４】
上記置換液通路５は、上記動脈側通路１１における上記ドリップチャンバ１５に接続されており、この置換液通路５は上記透析器２や血液回路３とともに、透析治療を行うたびに交換されるようになっている。
そして置換液通路５の端部には、後述する接続ポートとしての置換液ポート３１に接続するための図示しないコネクタが設けられ、さらに置換液通路５には血液ポンプＰ１と同様、チューブポンプからなる置換液ポンプＰ２が設けられている。
なお上記置換液通路５は、担当する医師の判断によって上記静脈側通路１２に接続することも可能である。
【００１５】
図１に示すように、上記透析液回路４は、透析液を給排する同形の第１、第２透析液チャンバ２１、２２と、上記第１、第２透析液チャンバ２１、２２に新鮮な透析液を給液する給液通路２３と、第１、第２透析液チャンバ２１、２２から新鮮な透析液を透析器２に供給する透析液供給通路２４と、透析器２を通過した使用済み透析液を第１、第２透析液チャンバ２１、２２に回収する透析液回収通路２５と、使用済みの透析液を第１、第２透析液チャンバ２１、２２から図示しない排液タンクへと排出する排液通路２６とを備えている。
第１透析液チャンバ２１および第２透析液チャンバ２２の内部は２枚のダイアフラムによって区画され、新鮮な透析液が収容される供給室２１ａ，２２ａと、使用済み透析液が収容される回収室２１ｂ、２２ｂと、これら供給室２１ａ，２２ａと回収室２１ｂ、２２ｂとの間に形成されるとともにシリコーンオイルが充満した中間室２１ｃ、２２ｃとが形成されている。
上記第１透析液チャンバ２１の中間室２１ｃと第２透析液チャンバ２２の中間室２２ｃとの間にはシリコーンオイルポンプＰ３が設けられており、上記シリコーンオイルポンプＰ３によって上記中間室２１ｃ、２２ｃに充満したシリコーンオイルの容積を異ならせるようになっている。
【００１６】
上記給液通路２３には新鮮な透析液を送液する図示しない給液ポンプが設けられており、下流部分は２方向に分岐して上記第１、第２透析液チャンバ２１、２２の上記供給室２１ａ、２２ａに接続されている。また上記分岐部分にはそれぞれ給液弁Ｖ１、Ｖ２が設けられている。
上記透析液供給通路２４の上流部分は２方向に分岐してそれぞれ上記第１、第２透析液チャンバ２１、２２の供給室２１ａ、２２ａに接続され、下流端には透析器２に接続されるカプラ２４ａが設けられている。また上記分岐部分にはそれぞれ供給弁Ｖ３，Ｖ４が設けられている。
上記透析液回収通路２５の上流端には透析器２に接続されるカプラ２５ａが設けられ、下流部分は２方向に分岐してそれぞれ上記第１、第２透析液チャンバ２１、２２の回収室２１ｂ、２２ｂに接続されている。
また透析液回収通路２５における上記分岐部分よりも上流側には透析液を送液する透析液ポンプＰ４が設けられるとともに、上記分岐部分にはそれぞれ回収弁Ｖ５、Ｖ６が設けられている。
上記排液通路２６の上流部分は２方向に分岐してそれぞれ上記第１、第２透析液チャンバ２１、２２の回収室２１ｂ、２２ｂに接続され、下流部分は図示しない廃液タンクに接続されている。また上記分岐部分にはそれぞれ排液弁Ｖ７、Ｖ８が設けられている。
【００１７】
上記透析液回路４における透析液の流通について説明すると、上記給液通路２３の給液ポンプおよび透析液回収通路２５の透析液ポンプＰ４を作動させ、この状態で第１透析液チャンバ２１では、給液弁Ｖ１と排液弁Ｖ７とを開放し、供給弁Ｖ３と回収弁Ｖ５とを閉鎖する。
すると、第１透析液チャンバ２１の供給室２１ａには上記給液通路２３から新鮮な透析液が流入し、これによりダイアフラムが変形して回収室２１ｂの容積が減少することから、当該回収室２１ｂに収容された使用済みの透析液が排液通路２６を介して外部へと排出される。
一方上記第２透析液チャンバ２２では、供給弁Ｖ４と回収弁Ｖ６とを開放し、給液弁Ｖ２と排液弁Ｖ８とを閉鎖する。これにより回収室２２ｂには使用済みの透析液が流入し、これによりダイアフラムが変形して供給室２２ａの容積が減少することから、当該供給室２２ａに収容された新鮮な透析液が透析液供給通路２４を流通して透析器２に供給される。
その後、上記給液弁Ｖ１，Ｖ２、供給弁Ｖ３，Ｖ４、回収弁Ｖ５，Ｖ６、排液弁Ｖ７，Ｖ８を交互に開閉することで、第１、第２透析液チャンバ２１、２２から新鮮な透析液が透析液供給通路２４を介して透析器２へと供給され、透析器２を通過した使用済みの透析液は透析液回収通路２５を介して第１、第２透析液チャンバ２１、２２に回収され、透析液の流通が維持されるようになっている。
また、透析治療中に上記シリコーンオイルポンプＰ３を作動させ、例えば第１透析液チャンバ２１の中間室２１ｃのシリコーンオイルを第２透析液チャンバ２２の中間室２２ｃへと送液すると、中間室２１ｃの容積が減少する。
すると、上記回収室２１ｂに負圧が発生し、上記透析器２において血液通路と透析液通路との間に差圧が生じることから、血液から除水ができるようになっている。
【００１８】
上記給液通路２３における上記分岐部分の上流側には、上記透析液供給通路２４との間に第１バイパス通路２７が形成されており、この第１バイパス通路２７には第１開閉弁Ｖ１１が設けられている。
次に、上記透析液供給通路２４には、上記分岐部分よりも下流側に、透析液の濃度を測定する濃度測定装置２８と、透析液の有害成分を除去する第１透析液フィルターＦ１および第２透析液フィルターＦ２と、第２開閉弁Ｖ１２とが設けられており、上記第１バイパス通路２７の下流端は上記分岐部分と濃度測定装置２８との間に接続されている。
上記第１、第２透析液フィルターＦ１、Ｆ２は半透膜によって上流室と下流室とに区画されており、透析液が上流室から半透膜を通過して下流室へ透過する際に有害成分を除去するようになっている。
このうち第１透析液フィルターＦ１の上流室には、上記透析液供給通路２４と透析液回収通路２５とを連通させる第２バイパス通路２９が接続され、この第２バイパス通路２９には第３開閉弁Ｖ１３が設けられている。
また透析液供給通路２４には、上記第２開閉弁Ｖ１２の上流側と下流側とをバイパスする第３バイパス通路３０が接続され、この第３バイパス通路３０には、上流側から順に、第４開閉弁Ｖ１４と、上記置換液通路５の接続される置換液ポート３１と、第５開閉弁Ｖ１５とが設けられている。
上記置換液ポート３１については後に詳述するが、透析治療時に上記置換液通路５を接続して該置換液通路５に透析液を供給するものとなっており、透析治療の準備を行う際には上記置換液通路５は接続されず、上記透析液をそのまま第３バイパス通路３０に流通させる構成を有している。
【００１９】
上記透析液回収通路２５には、上記透析器２側から順に、第６開閉弁Ｖ１６と、圧力を測定する圧力センサ３２と、透析液を送液する透析液ポンプＰ４と、透析液中の空気を除去する脱気槽３３とが設けられており、上記第２バイパス通路２９の下流側の端部は上記圧力センサ３２の上流側に隣接した位置に接続されている。
上記脱気槽３３には透析液回収通路２５と排液通路２６とを連通させる第４バイパス通路３４が設けられており、当該第４バイパス通路３４には第７開閉弁Ｖ１７が設けられている。
また上記脱気槽３３はその内部が密閉されており、上記脱気槽３３に透析液が充満した状態で、上記第７開閉弁１７を開放することにより、あふれた透析液を上記第４バイパス通路３４に流通させることが可能となっている。
【００２０】
以下、図２を用いて上記第３バイパス通路３０に設けられた置換液ポート３１について説明する。なお図２では、置換液ポート３１に置換液通路５は接続されておらず、以下に説明する蓋部材４４によって閉鎖された閉鎖状態となっている。
上記置換液ポート３１は、血液透析装置１のハウジング１ａに固定されたベース部材４１と、当該ベース部材４１に固定された有底筒状のアウターポート４２と、当該アウターポート４２の底部を貫通するように設けられた筒状のインナーポート４３と、上記アウターポート４２ごとインナーポート４３を閉鎖する蓋部材４４と、上記蓋部材４４を移動させるレバー４５と、上記蓋部材４４の開閉状態を検出する開閉検出手段４６とを備えている。
上記ベース部材４１は略円盤状の部材となっており、上記レバー４５はこのベース部材４１の略中央に形成した貫通孔を中心に回転可能に設けられている。
【００２１】
上記アウターポート４２は耐熱性を有する樹脂によって製造されるとともに、その底面が側方を向くとともに上記ベース部材４１の端面で開口するように固定されている。また内周面の先端には上記蓋部材４４が嵌合するリングシール４７が設けられている。
また上記アウターポート４２の外周面の下部には、第３バイパス通路３０を構成する排出側配管としての下流側配管３０ｂの接続された排出口４２ａが形成されている。
上記インナーポート４３は金属製となっており、上記アウターポート４２と同軸上に設けられた管状の部材であって、上記アウターポート４２の底面を貫通するとともに、その基部には上記第３バイパス通路３０を構成する供給側配管としての上流側配管３０ａが接続されている。
またインナーポート４３の略中央にはフランジ４３ａが形成されており、このフランジは上記アウターポート４２の底面に形成された凹部４２ｂに嵌合して、相互に移動しないように保持している。
そして、上記インナーポート４３における上記上流側配管３０ａとアウターポート４２との間の外周面には、インナーポート４３を加熱するヒータＨが設けられている。
上記ヒータＨにはラバーヒータＨ、バンドヒータＨやニクロム線等を使用することが可能であり、制御手段によってその温度を制御可能であるとともに、図示しない温度センサにより加熱されたインナーポート４３の温度を測定可能となっている。
一方インナーポート４３の先端は、上記アウターポート４２の開口部より本体部７の外側に突出しており、その外周面には置換液通路５のコネクタを接続するためのらせん状の溝が形成されている。
【００２２】
上記蓋部材４４は有底筒状を有しており、図２に示す閉鎖状態では、その外周面が上記アウターポート４２の内周面に設けた上記リングシール４７に密着し、アウターポート４２と蓋部材４４との内部に空間を形成するようになっている。
またこの閉鎖状態では、インナーポート４３と蓋部材４４との間には空間が形成され、これによりインナーポート４３から排出された透析液は蓋部材４４とアウターポート４２によって形成された空間を流通して、上記排出口４２ａより排出されるようになっている。
つまり上記置換液ポート３１によれば、上記蓋部材４４によって閉鎖状態とすると、上記第３バイパス通路３０の上流側配管３０ａに流入した透析液は、上記蓋部材４４とアウターポート４２によって形成された空間を通過して下流側配管３０ｂより排出されるようになっている。
逆に、上記蓋部材４４をアウターポート４２より取り外した開放状態とし、上記インナーポート４３に上記置換液通路５を接続すると、アウターポート４２の開口部は外部に露出するが、透析液は上記インナーポート４３から置換液通路５に流入し、上記血液回路３の動脈側通路１１へと流入するようになっている。
【００２３】
上記レバー４５は、略中央に設けられたロッド４５ａにより上記ベース部材４１に対して回転可能に軸支され、上記レバー４５の一端には上記蓋部材４４が固定され、その反対側の端部には本体部７に向けてピン４８が設けられている。
上記ロッド４５ａは上記ベース部材４１を貫通し、本体部７の内部に突出した部分には、上記ベース部材４１との間にばね４９が弾装され、レバー４５は上記ばね４９によって常時ベース部材４１に向けて付勢されている。
上記ベース部材４１には上記ピン４８を収容して上記レバー４５の回転を規制する有底のストッパ孔４１ａが２箇所に形成され、一方のストッパ孔４１ａはレバー４５が図２に示す閉鎖状態に位置した際にピン４８を収容するようになっている。
他方の図示しないストッパ孔は、上記レバー４５が上記置換液通路５の装着の妨げにならない角度で保持されるような位置に形成されている。
【００２４】
上記開閉検出手段４６は、上記ピン４８の先端に設けられた図示しない磁石と、上記ベース部材４１における上記ストッパ孔４１ａの裏面側に装着された磁力センサ５０とから構成されている。
図２に示す閉鎖状態では、上記ピン４８がストッパ孔４１ａに挿入されて上記磁石が磁力センサ５０に接近しており、磁力センサ５０は上記磁石の磁力を検出することで、置換液ポート３１が閉鎖状態であることを認識するようになっている。
これに対し、図２の状態からレバー４５を回転させると、上記ピン４８がストッパ孔４１ａより離脱するため、上記磁力センサ５０は上記磁石の磁力を検出できず、置換液ポート３１が開放状態であることを認識するようになっている。
そしてこの置換液ポート３１が開放状態とされると、上記制御手段では上記ヒータＨによるインナーポート４３の加熱ができないように設定されている。
【００２５】
以下、上記構成を有する血液透析装置１の操作方法について説明する。まず、前回の透析治療が終了すると、血液透析装置１から上記透析器２が血液回路３とともに取り外され、上記透析液供給通路２４および透析液回収通路２５とをカプラ２４ａ、２５ａによって直接接続する。
ここで、上記置換液通路５は血液回路３から分岐しているため、当該置換液通路５は上記置換液ポート３１より取り外され、上記置換液ポート３１は上記蓋部材４４によって閉鎖状態となっている。
この状態で上記透析液回路４に洗浄液や熱水を流通させることで、透析液回路４の殺菌洗浄を行うようになっており、上述したように上記第１、第２透析液チャンバ２１、２２や各開閉弁を作動させることで上記給液通路２３から供給された洗浄液を透析液回路４に充満させる。
具体的に説明すると、上記第１、第２透析液チャンバ２１、２２から供給された洗浄液は、上記透析液供給通路２４を流通した後、上記カプラ２４ａ、２５ａを介して上記透析液回収通路２５を流通し、これらに収容されていた使用済みの透析液が洗浄液へと置換される。
このとき透析液回路４に設けた第１〜第７開閉弁Ｖ１１〜Ｖ１７を適宜作動させることにより、上記第１〜第４バイパス通路２７、２９、３０、３４の透析液も洗浄液へと置換する。
このようにして上記洗浄液を所定時間透析液回路４に流通させたら、上記第１、第２透析液チャンバ２１、２２からの洗浄液の送液を中止し、これにより洗浄液を透析液回路４に滞留させる。
【００２６】
上記透析液回路４に洗浄液を流通させる際、上記第３バイパス通路３０に設けた上記置換液ポート３１は閉鎖状態となっており、また上記アウターポート４２が蓋部材４４によって閉鎖されていることから、インナーポート４３から排出された洗浄液は上記アウターポート４２と蓋部材４４とによって形成された空間に充満する。
そして上記第１、第２透析液チャンバ２１、２２からの洗浄液の送液を中止して透析液が上記空間に滞留している状態において、上記インナーポート４２に設けたヒータＨを作動させる。
するとインナーポート４２が加熱されて上記置換液通路５が接続される部分が加熱殺菌され、さらに伝熱により加熱された洗浄液により、上記空間に露出しているインナーポート４２の外周面も殺菌することができ、当該伝熱により加熱された内部の洗浄液も加熱殺菌に貢献する。
ここでは、例えば上記ヒータＨによってインナーポート４２を８５〜１００℃となるまで加熱を行うことにより、上記置換液ポート３１の確実な殺菌洗浄を行うことができる。
このようにして置換液ポート３１の殺菌洗浄が終了したら、上記透析液回路４に新鮮な透析液を流通させて、上記洗浄液を新たな透析液に置換する作業を行う。
置換液回路４が新鮮な透析液に置換されると、上記制御手段によって図示しないモニタ等に透析器２や血液回路４が接続可能になった旨の表示をし、作業者は上記置換液ポート３１を閉鎖状態から開放状態として、上記置換液通路５を接続するようになっている。
【００２７】
上記実施例によれば、上記置換液ポート３１を蓋部材４４によって閉鎖状態とし、上記アウターポート４２と蓋部材４４とによって形成された空間に洗浄液が充満した状態で、上記インナーポート４３をヒータＨによって加熱することで、インナーポート４３における外部に露出する部分を高レベルに殺菌することができる。
特に、本実施例における血液透析装置１では、いわゆるオンラインＨＤＦを行うため、上記置換液ポート３１には血液回路３を介して患者に透析液を供給するための置換液通路５を接続するため、当該置換液ポート３１をより高レベルに殺菌する必要があり、上記ヒータＨによって高レベルな殺菌を行うことができる。
【００２８】
なお、上記実施例における透析液回路４は、上記第１、第２透析液チャンバ２１、２２に中間室２１ｃ、２２ｃを形成して、透析治療中においてこれら中間室２１ｃ、２２ｃの容積を減少させて除水を行っているが、上記中間室２１ｃ、２２ｃを省略する代わりに、上記透析液回収通路２５と排液通路２６との間に除水ポンプを設けたバイパス通路を設けて、当該除水ポンプにより除水するようにしても良い。
【符号の説明】
【００２９】
１  血液透析装置                    ２  透析器
３  血液回路                        ４  透析液回路
５  置換液通路                      ３１  置換液ポート
４２  アウターポート                ４３  インナーポート
４４  蓋部材                        Ｈ  ヒータ
【図１】
0005920575.tif 000002
【図２】
0005920575.tif 000003